(57)【特許請求の範囲】
【請求項１】
加熱室内の上部に水平状態で配置されており、前部に設けられた支持部によって、後部が下方に回動し得るように支持されるとともに、一方の支持部に連続して、加熱室の外部を後方に延出する操作部が設けられたヒーターと、
このヒーターの操作部が、支持部を中心として下方に自由回動し得る状態で係合されており、下方へのスライドによって、ヒーターの操作部が一体的に下方に回動するように、上下方向にスライド可能に設けられたヒーター係合部材と、
このヒーター係合部材を上下方向にスライドさせる駆動手段と、
前記ヒーターの操作部を、ヒーター係合部材と一体的に下方にスライドするように係合させて保持する保持手段と、
を具備することを特徴とする加熱調理器。
【請求項２】
前記保持手段は、バネによって構成されている請求項１に記載の加熱調理器。
【請求項３】
前記保持手段は、磁石によって構成されている請求項１に記載の加熱調理器。
【請求項４】
前記磁石は、ヒーターの操作部を磁力によって吸着した状態で、その操作部が上下方向に回動し得るようにヒーター係合部材に取り付けられている請求項３に記載の加熱調理器。
【請求項５】
前記バネが形状記憶合金によって構成されており、加熱されることによって、ヒーターの操作部がヒーター係合部材に係合して保持すされるように形状が回復するようになっている請求項３に記載の加熱調理器。
【発明の詳細な説明】
【０００１】
【発明の属する技術分野】
本発明は、加熱室内にヒーターが設けられた加熱調理器に関し、特に、加熱室内の被加熱物である食品に対してヒーターを接近させることができ、しかも、加熱室内の清掃等によってヒーターに力が加わっても破損するおそれのない加熱調理器に関する。
【０００２】
【従来の技術】
高周波によって食品を加熱する電子レンジでは、加熱室内にヒーターを設けて、ヒーターによっても食品を加熱し得るように構成されたものも開発されている。また、このようなヒーター付き電子レンジでは、加熱室内に配置された食品を、ヒーターによって強く加熱する場合には、ヒーターが加熱室内の食品に接近するように回動し得る構成も開発されている。
【０００３】
例えば、図８に示すヒーター付き電子レンジの加熱室３１では、上部にヒーター３２が設けられている。ヒーター３２は棒状をしており、加熱室３１の上面３１ａに沿って屈曲状態で配置されている。このヒーター３２は、加熱室３１の後部において、加熱室３１の背面に沿って水平に配置された後部３２ａと、後部３２ａの各端部から前方に向かってそれぞれ直角に屈曲された一対の側部３２ｂと、各側部３２ｂの前端部から、加熱室３１の各側面３１ｂをそれぞれ貫通するように、外側に向かってそれぞれ直角に屈曲された支持部３２ｃとを有している。そして、各支持部３２ｃが、加熱室３１の各側面３１ｂに回動可能に支持されている。
【０００４】
加熱室３１の側面３１ｂを貫通する一方の支持部３２ｃは、その側面３１ｂの外側面に沿って後方に向かって直角に屈曲された操作部３２ｄに連続している。そして、この操作部３２ｄが、加熱室３１の側面３１ｂに取り付けられたヒーター駆動部３３に接続されている。
【０００５】
ヒーター３２には、ヒーター３２の上方域を覆う反射板３９が、着脱可能に取り付けられている。反射板３９には、ヒーター３２に対して着脱される複数の係合部材３９ａが設けられており、各係合部材３９ａがヒーター３２に対して着脱されることによって、反射板３９がヒーター３２に対して着脱される。
【０００６】
図９は、ヒーター３２の操作部３２ｄが接続されたヒーター駆動部３３の内部の概略構成を示す分解斜視図である。ヒーター駆動部３３を構成する側面３３ａには、上下方向へのスライド可能にヒーター係合部材３４が取り付けられており、ヒーター係合部材３４に設けられた貫通孔３４ａ内に、ヒーター３２の操作部３２ｄが挿通している。ヒーター係合部材３４の背面には、上下方向に沿ってラックギア（図示せず）が設けられており、このラックギアに、複数の減速ギアによって構成された減速機構３５を介して、モーター３６の回転が伝達されるようになっている。
【０００７】
ヒーター係合部材３４は、モーター３６の正逆回転によって、上下方向にスライドされて、ヒーター３２の操作部３２ｄが上下方向に回動される。これにより、ヒーター３２の後部３２ａが上下方向に回動される。従って、ヒーター３２の後部３２ａを、加熱室３１内に配置された被調理物である食品に接近させる場合には、加熱室３１の外部に配置されたモーター３７が正転されて、ヒーター係合部材３４が下方にスライドされる。これにより、ヒーター３２の操作部３２ｄが下方に回動される。
【０００８】
【発明が解決しようとする課題】
このような構成の電子レンジでは、ヒーター３２の操作部３２ｄが、ヒーター駆動部３３に設けられたヒーター係合部材３４の貫通孔３４ａ内を貫通した状態になっている。このために、例えば加熱室１１内を清掃する際に、ヒーター３２の後部３２ａを下方に回動させるように、ヒーター３２に力が加わると、その力が、ヒーターの操作部３２ｄを介してヒーター係合部材３４に加わる。ヒーター係合部材３４は、減速機構３５を介してモーター３６に連結されているために、被ー多係合部材３４に大きな力が加わると、ヒーター３２、ヒーター係合部材３４等が破損するおそれがある。
【０００９】
また、ヒーター３２に着脱可能に取り付けられた反射板３９は、その清掃に際しては、ヒーター３２から取り外すことができる。しかしながら、このような場合にも、ヒーター３２の後部３２ａを加熱室３１の内部において、強制的に下方に回動させると、同様に、ヒーター３２等が破損するおそれがある。
【００１０】
本発明は、このような問題を解決するものであり、その目的は、加熱室の外部に配置された所定の機構によって加熱室内を回動するように配置されたヒーターに対して、加熱室内の清掃等に際して力が加わっても、ヒーター等が破損するおそれのない加熱調理器を提供することにある。
【００１１】
【課題を解決するための手段】
本発明の加熱調理器は、加熱室内の上部に水平状態で配置されており、前部に設けられた支持部によって、後部が下方に回動し得るように支持されるとともに、一方の支持部に連続して、加熱室の外部を後方に延出する操作部が設けられたヒーターと、このヒーターの操作部が、支持部を中心として下方に自由回動し得る状態で係合されており、下方へのスライドによって、ヒーターの操作部が一体的に下方に回動するように、上下方向にスライド可能に設けられたヒーター係合部材と、このヒーター係合部材を上下方向にスライドさせる駆動手段と、前記ヒーターの操作部を、ヒーター係合部材と一体的に下方にスライドするように係合させて保持する保持手段と、を具備することを特徴とする。
【００１２】
前記保持手段は、バネによって構成されている。
前記保持手段は、磁石によって構成されている。
【００１３】
前記磁石は、ヒーターの操作部を磁力によって吸着した状態で、その操作部が上下方向に回動し得るようにヒーター係合部材に取り付けられている。
【００１４】
前記バネが形状記憶合金によって構成されており、加熱されることによって、ヒーターの操作部がヒーター係合部材に係合して保持すされるように形状が回復するようになっている。
【００１５】
【発明の実施の形態】
以下、本発明の実施の形態を、図面に基づいて説明する。図１は、本発明の加熱調理器の実施の形態の一例を示すヒーター付き電子レンジの加熱室の概略構成図である。このヒーター付き電子レンジの加熱室１１は、調理器本体内に収容されており、加熱室１１の前面が、調理器本体の前面に開口している。加熱室１１の開口部は、調理器本体の前面に沿って設けられた開閉扉（図示せず）によって開閉されるようになっている。
【００１６】
加熱室１１内に配置された食品は、高周波によって加熱されるとともに、加熱室１１の上部に設けられたヒーター１２によっても加熱されるようになっている。ヒーター１２は棒状をしており、加熱室１１の上面１１ａに沿って屈曲状態で配置されている。このヒーター１２は、加熱室１１の後部において、加熱室１１の背面に沿って水平に配置された後部１２ａと、後部１２ａの各端部から前方に向かってそれぞれ直角に屈曲された一対の側部１２ｂと、各側部１２ｂの前端部から、加熱室１１の各側面１１ｂをそれぞれ貫通するように、外側に向かってそれぞれ直角に屈曲された支持部１２ｃとを有している。そして、各支持部１２ｃが、加熱室１１の各側面１１ｂに回動可能に支持されている。
【００１７】
加熱室１１の側面１１ｂを貫通する一方の支持部１２ｃは、その側面１１ｂの外側面に沿って後方に向かって直角に屈曲された操作部１２ｄに連続している。そして、この操作部１２ｄが、加熱室１１の側面１１ｂに取り付けられたヒーター駆動部１３に接続されている。
【００１８】
ヒーター１２には、ヒーター１２の上方域を覆うように反射板１９が、着脱可能に取り付けられている。反射板１９には、ヒーター１２に対して着脱される複数の係合部材１９ａが設けられており、各係合部材１９ａをヒーター１２に対して着脱することによって、反射板１９がヒーター１２に対して着脱される。
【００１９】
図２は、ヒーター駆動部１３の内部の構造を分解して示す概略構成図、図３は、ヒーター駆動部１３内の構成を示す概略側面図である。ヒーター駆動部１３を構成する側面１３ａには、上下方向へのスライド可能にヒーター係合部材１４が取り付けられている。
【００２０】
図４は、ヒーター係合部材１４の斜視図である。ヒーター係合部材１４は、ヒーター駆動部１３の側面１３ａに対して、上下方向に沿って配置された平板状のギア本体部１４ａを有しており、このギア本体部１４ａにおける加熱室１１に近接した背面部分に、上下方向に沿ってラックギア１４ｂ（図３参照）が設けられている。ギア本体部１４ａにおけるラックギア１４ｂに対して加熱室１１の遠方側の下部には、ヒーター１２の操作部１２ｄが挿通する溝部１４ｃ（図４参照）が設けられている。この溝部１４ｃは、ギア本体部１４ａにおける上下方向中程から下方に向かって延びており、ギア本体部１４ａの下面から下方に開口している。ヒーター１２の操作部１２ｄは、溝部１４ｃ内に嵌合された状態で溝部１４ｃ内を挿通して、ギア本体部１４ａの後方に延出している。
【００２１】
ギア本体部１４ａにおける加熱室１１に近接した側部の上端部には、後方に向かって水平状に延出したアーム部１４ｄが設けられており、このアーム部１４ｄの後端部が、溝部１４ｃを挿通したヒーター１２における操作部１２ｄの上方に位置するように、加熱室１１から離れる方向に突出している。そして、アーム部１４ｄの先端部と、ヒーター１２の操作部１２ｄの端部近傍との間にわたって、引っ張りバネ１５が取り付けられている。引っ張りバネ１５は、ヒーター１２の操作部１２ｄを、牽引力Ｆ２によって上方に牽引している。
【００２２】
図２および図３に示すように、ギア本体部１４ａに設けられたラックギア１４ｂには、複数の減速ギアによって構成された減速機構１６が係合しており、この減速機構１６には、モーター１７の回転力が、ベルト伝動機構１８を介して、伝達されるようになっている。従って、モーター１７が正転駆動されると、モーター１７の回転力が、ベルト伝動機構１８、減速機構１６を介して、ヒーター係合部材１４のラックギア１４ｂに伝達されて、ヒーター係合部材１４全体が下方にスライドされる。
【００２３】
このような構成のヒーター付き電子レンジでは、加熱室１１内に収容された食品を、ヒーター１２によって強く加熱する場合には、加熱室１１内に収容される被加熱調理物である食品に対してヒーター１２が接近するように、加熱室１１の外部に配置されたヒーター駆動部１３内のモーター１７が正転駆動される。これにより、モーター１７の回転が、ベルト伝動機構１８、減速機構１６を介して、ヒーター係合部材１４のラックギア１４ｂに伝達され、ヒーター係合部材１４全体が下方にスライドされる。ヒーター係合部材１４には、溝部１４ｃ内に嵌合されたヒーター１２の操作部１２ｄが、引っ張りバネ１５によって上方に牽引されて係合された状態になっており、ヒーター係合部材１４が下方にスライドされることによって、ヒーター係合部材１４の溝部１４ｃ内に嵌合されたヒーター１２の操作部１２ｄが、ヒーター係合部材１４と一体的に下降される。
【００２４】
ヒーター１２は、加熱室１１の各側面１１ｂに対して回動可能に支持されており、従って、操作部１２ｄが下降されることによって、加熱室１１の各側面１１ｂに支持された支持部１２ｃを中心として、ヒーター１２の後部１２ａが下方に回動される。これにより、ヒーター１２の後部１２ａが、加熱室１１内の食品に近接した状態になり、その食品がヒーター１２によって、強く加熱されることになる。
【００２５】
これに対して、例えば、加熱室１１内を清掃する際に、ヒーター１２の後部１２ａに対して、下方に回動する方向に力Ｆ１が加えられると、各支持部１２ｃには、同方向への回動力が加わり、支持部１２ｃと一体となった操作部１２ｄが、支持部１２ｃを中心とした下方への回動力が加わる。ヒーター係合部材１４の溝部１４ｃ内を挿通して後方に突出した操作部１２ｄの端部は、ヒーター係合部材１４のアーム部１４ｄに取り付けられた引っ張りバネ１５によって上方に牽引されて、ヒーター係合部材１４に対して係合状態を保持しているが、操作部１２ｄに加わる下方への回動力Ｆ１が、引っ張りバネ１５の牽引力Ｆ２よりも大きくなると、操作部１２ｄは、引っ張りバネ１５の牽引力Ｆ２に抗して下方に回動される。これにより、ヒーター１２の操作部１２ｄは、ヒーター係合部材１４に設けられた溝部１４ｃ内を下方にスライドし、ヒーター１２の後部１２ａが、加えられた下方への回動力によって、ヒーター１２の操作部１２ｄ、ヒーター係合部材１４、減速機構１６等を破損させることなく、円滑に下方に回動されることになる。
【００２６】
また、加熱室１１の内部の清掃等に際して、ヒーター１２に対して着脱可能に取り付けられた反射板１９をヒーター１２から取り外すために、加熱室１１の内部に位置するヒーター１２に対して後部１２ａが下方へ回動するように力を加えても、同様に、ヒーター１２が支障なく回動される。従って、反射板１９をヒーター１２から容易に取り外すことができる。
【００２７】
図５は、本発明のヒーター付き電子レンジの実施の形態の他の例を示す要部の側面図である。このヒーター付き電子レンジでは、ヒーター係合部材１４におけるギア本体部１４ａには、溝部１４ｃの上方に位置する上端部から後方に突出した支持部１４ｅが設けられており、この支持部１４ｅに、溝部１４ｃを挿通したヒーター１２の操作部１２ｄを磁力によって吸着する磁石２１が、直接、取り付けられている。その他の構成は、前記実施の形態の電子レンジと同様になっている。
【００２８】
このような構成のヒーター付き電子レンジでは、ヒーター１２の操作部１２ｄは、通常は、ヒーター係合部材１４の磁石２１によって吸着されて、ヒーター係合部材１４に係合した水平状態に保持されている。従って、モーター１７の回転によってヒーター係合部材１４全体が下方にスライドされると、ヒーター１２の操作部１２ｄがヒーター係合部材１４と一体となって下方に回動されて、ヒーター１２の後部１２ａが下方に回動される。
【００２９】
また、加熱室１１内の清掃等によって、ヒーター１２の後部１２ａに、下方への回動力が加わった場合には、ヒーター１２の操作部１２ｄが、ヒーター係合部材１４の磁石２１から外れて、ヒーター係合部材１４に設けられた溝部１４ｃ内を下方にスライドする。これにより、ヒーター１２の後部１２ａは、ヒーター１２の操作部１２ｄ、ヒーター係合部材１４、減速機構１６等を破損させることなく、円滑に下方に回動される。
【００３０】
図６（ａ）は、本発明のヒーター付き電子レンジの実施の形態のさらに他の例を示す要部の側面図である。このヒーター付き電子レンジでは、ヒーター係合部材１４におけるギア本体部１４ａの上端部に取り付けられた支持部１４ｅに、磁石２１が、垂下した状態で前後方向に揺動可能に設けられた揺動部材１４ｇに取り付けられている。また、ギア本体部１４ａに設けられた溝部１４ｃは、ギア本体部１４ａの上端部近傍にまで達しており、ヒーター１２の操作部１２ｄは、溝部１４ｃの上下方向の中程を通過している。その他の構成は、前記実施の形態と同様になっている。
【００３１】
このような構成のヒーター付き電子レンジでも、ヒーター１２の操作部１２ｄは、通常は、ヒーター係合部材１４の揺動部材２２にて保持された磁石２１によって、ヒーター係合部材１４に係合された水平状態に保持されており、モーター１７の回転によって、ヒーター係合部材１４全体が下方にスライドされると、ヒーター１２の操作部１２ｄがヒーター係合部材１４と一体的に下方にスライドされて、ヒーター１２の後部１２ａが下方に回動される。
【００３２】
また、加熱室１１内の清掃等によって、ヒーター１２の後部１２ａに、下方への回動力が加わった場合には、図６（ｂ）に示すように、ヒーター１２の操作部１２ｄは、ヒーター係合部材１４の磁石２１によって吸着された状態で揺動部材２２が揺動するために、ヒーター１２操作部１２ｄ、減速機構１６等を破損することなく、ヒーター１２の後部１２ａが円滑に下方に回動されることになる。
【００３３】
図７は、本発明のヒーター付き電子レンジの実施の形態のさらに他の例を示す要部の側面図である。このヒーター付き電子レンジでは、ヒーター係合部材１４におけるギア本体部１４ａに設けられた溝部１４ｃは、ギア本体部１４ａの上端部近傍にまで達している。また、ギア本体部１４ａの下端部には、ヒーター１２の操作部１２ｄに沿って後方に突出したバネ座１４ｈが設けられている。そして、このバネ座１４ｈに、形状記憶合金によって構成された押圧バネ２３の下端部が支持されている。押圧バネ２３の上端部は、溝部１４ｃの上端部を通過するヒーター１２の操作部１２ｄに、この操作部１２ｄを上方に押圧するように取り付けられており、ヒーター１２の操作部１２ｄは、押圧バネ２３の押圧力によって、溝部１４ｃの上端部を水平状態で通過して、ヒーター係合部材１４と一体的に係合した状態に保持されている。
【００３４】
押圧バネ２３は、適当な温度に加熱されることによって、ヒーター１２の操作部１２ｄがヒーター係合部材１４と一体的に係合し得るように伸長した状態に回復する。その他の構成は、前記実施の形態と同様になっている。
【００３５】
このような構成のヒーター付き電子レンジでは、ヒーター１２の操作部１２ｄは、通常は、ヒーター係合部材１４の押圧バネ１４ｈにて上方に押圧されて、水平な状態でヒーター係合部材１４と係合した状態に保持されている。そして、加熱室１１内の被加熱物である食品を加熱するために、ヒーター１２の後部１２ａを下方に回動させる場合には、モーター１７の回転されて、ヒーター係合部材１４全体が下方にスライドされる。これにより、ヒーター１２の操作部１２ｄがヒーター係合部材１４と一体的に下方にスライドされて、ヒーター１２の後部１２ａが下方に回動される。
【００３６】
このような状態で、ヒーター１２によって、加熱室１１内の食品が加熱されると、ヒーター１２自体も、加熱されることにより柔軟な状態になり、ヒーター１２上に設けられた反射板１９の重量等によって、ヒーター１２の後部１２ａに下方への回動力が加わる。しかしながら、この場合には、ヒーター１２によって、押圧バネ２３も加熱された状態になり、押圧バネ２３は、伸長した状態に回復される。これにより、ヒーター１２の操作部１２ｄは、押圧バネ２３によって、上方に押圧され、ヒーター係合部材１４に係合した水平な状態とされ、ヒーター１２が後部１２ａが下方に回動することが防止されて、加熱室１１内の食品にヒーター１２が接触したり、食品が過度に加熱されることが防止される。
【００３７】
また、加熱室１１内の清掃等によって、ヒーター１２の後部１２ａに、下方への回動力が加わった場合には、ヒーター１２の操作部１２ｄが、ヒーター係合部材１４の押圧バネ２３の押圧力に抗して下方に回動されることになり、ヒーター１２の後部１２ａは、操作部１２ｄ、減速機構１６等を破損することなく、円滑に下方に回動されることになる。
【００３８】
【発明の効果】
本発明の加熱調理器は、このように、加熱室の外部からの適当な手段によって回動されるように加熱室内に配置されたヒーターに対して、加熱室内の清掃等に際して力が加わっても破損するおそれがない。
【図面の簡単な説明】
【図１】本発明の加熱調理器における加熱室の実施の形態の一例を示す概略構成図である。
【図２】その加熱室に設けられたヒーター駆動部の概略構成を分解して示す斜視図である。
【図３】そのヒーター駆動部の概略側面図である。
【図４】そのヒーター駆動部に設けられたヒーター係合部材の斜視図である。
【図５】本発明の加熱調理器における加熱室に設けられたヒーター係合部材の他の例を示す概略側面図である。
【図６】（ａ）は、本発明の加熱調理器における加熱室に設けられたヒーター係合部材のさらに他の例を示す概略側面図、（ｂ）は、その動作説明図である。
【図７】本発明の加熱調理器における加熱室に設けられたヒーター係合部材のさらに他の例を示す概略側面図である。
【図８】従来の加熱調理器における加熱室の一例を示す概略構成図である。
【図９】その加熱室に設けられたヒーター駆動部の概略構成を分解して示す斜視図である。
【符号の説明】
１０    調理器本体
１１    加熱室
１２    ヒーター
１２ａ  後部
１２ｂ  側部
１２ｃ  支持部
１２ｄ  操作部
１３    ヒーター駆動部
１４    ヒーター係合部材
１４ａ  ギア本体部
１４ｂ  ラックギア
１４ｃ  溝部
１４ｄ  アーム部
１５  引っ張りバネ
１６  減速機構
１７  モーター
１８  ベルト伝動機構
１９  反射板
２１    磁石
２２    揺動部材
２３  押圧バネ
【図１】
0003550044.tif 000002
【図２】
0003550044.tif 000003
【図３】
0003550044.tif 000004
【図４】
0003550044.tif 000005
【図５】
0003550044.tif 000006
【図６】
0003550044.tif 000007
【図７】
0003550044.tif 000008
【図８】
0003550044.tif 000009
【図９】
0003550044.tif 000010